(57)【要約】【課題】小型化および性能の向上を図ることが可能なガス発生装置およびシートベルトプリテンショナを提供することを目的としている。【解決手段】一端側１３６ａが端面１２４によって閉じている円筒形状であり内部にガス発生剤１３４が充填されたハウジング１３６と、ハウジング１３６にその他端側１３６ｂに取り付けられ外部から受けた信号に起因してガス発生剤１３４に点火するスクイブ１４０とを備え、ハウジング１３６は、端面１２４に設けられてガス発生時において端面１２４にき裂を誘発させる溝部１４４を有し、溝部１４４は、開裂の起点（中心点Ｐ１）端面１２４の中心からはずれた位置に設けられていることを特徴とする。【選択図】図４
2013027691.tif 000002
【特許請求の範囲】
【請求項１】
一端が端面によって閉じている円筒形状であり内部にガス発生剤が充填されたハウジングと、
前記ハウジングにその他端に取り付けられ外部から受けた信号に起因して前記ガス発生剤に点火するスクイブとを備え、
前記ハウジングは、前記端面に設けられてガス発生時において該端面にき裂を誘発させる溝部を有し、
ガス発生時に、前記溝部の開裂の起点が前記端面の中心からはずれた位置になるよう設けられていることを特徴とするガス発生装置。
【請求項２】
一端が端面によって閉じている円筒形状であり内部にガス発生剤が充填されたハウジングと、
前記ハウジングにその他端に取り付けられ外部から受けた信号に起因して前記ガス発生剤に点火するスクイブとを備え、
前記ハウジングは、前記端面に設けられてガス発生時において該端面にき裂を誘発させる溝部を有し、
前記溝部は、中心である１点から放射状に形成された複数の溝を有し、
前記溝部の中心が前記端面の中心からはずれた位置になるよう設けられていることを特徴とするガス発生装置。
【請求項３】
一端が端面によって閉じている円筒形状であり内部にガス発生剤が充填されたハウジングと、
前記ハウジングにその他端に取り付けられ外部から受けた信号に起因して前記ガス発生剤に点火するスクイブとを備え、
前記ハウジングは、前記端面に設けられてガス発生時において該端面にき裂を誘発させる溝部を有し、
前記溝部は複数の溝を有し、
前記複数の溝の交点が前記端面の中心からはずれた位置になるよう設けられていることを特徴とするガス発生装置。
【請求項４】
前記ハウジングは、幅方向の断面および前記端面が、円弧と弦とで囲まれる形状となっていて、
前記端面の中心は、前記円弧が描く円の中心であることを特徴とする請求項１から３のいずれか１項に記載のガス発生装置。
【請求項５】
前記溝部の中心は、前記端面の重心に設けられることを特徴とする請求項４に記載のガス発生装置。
【請求項６】
請求項１から５のいずれか１項に記載のガス発生装置を備えたことを特徴とするシートベルトプリテンショナ。
【請求項７】
当該シートベルトプリテンショナは、
前記ガス発生装置の長手方向と交差する方向へ伸びる管状のガス案内部材であって一端側にて該ガス発生装置に接続され前記端面から噴き出すガスを一端側から他端側へと導くガス案内部材と、
前記他端側に設けられてガス圧によって移動する可動部材と、
前記可動部材に連動してウェビングを巻きとるスピンドルとをさらに備え、
前記溝部は、前記ガス案内部材の前記一端側へ片寄るよう前記端面の中心からはずれた位置に設けられていることを特徴とする請求項６に記載のシートベルトプリテンショナ。
【発明の詳細な説明】
【技術分野】
【０００１】
本発明は、ガス発生装置と、このガス発生装置を利用してウェビングを引き締めるシートベルトプリテンショナに関するものである。
【背景技術】
【０００２】
シートベルト装置は、急停止や衝突などによって車両に大きな減速度が作用した際に、慣性力による乗員の前方への飛出しを防ぐための安全装置である。シートベルト装置は、帯状のウェビングを利用して乗員を座席に拘束する。ウェビングはその根元側が座席横の車室側面下方に設置されたリトラクタに巻かれて収納され、先端側が車室側面上方に設置されたスルーアンカに通されて車室内に繰り出されている。この先端側にはタングプレートが備えられていて、乗員はタングプレートを引っ張って座席の反対側に設けられたバックルに挿し込むことでシートベルト装置を装着することができる。【０００３】
近年のリトラクタにはプリテンショナが備えられている。プリテンショナは車両衝突などの緊急時においてウェビングをリトラクタ内に巻き込む機構であって、ウェビングを引き締めて乗員の身体に密着させ拘束力を高める働きを有している。通常のプリテンショナにはガス発生装置が含まれていて、ガス圧を利用することでウェビングを瞬時に巻き取ることが可能になっている。【０００４】
一般的な上記ガス発生装置では、ガスの発生源として、専用のハウジングに充填されたガス発生剤を有している。このハウジングは、ガス発生剤の燃焼と共に高まるガス圧によって開裂する構成となっている。例えば特許文献１に記載されているガス発生器では、ＡＣカップ（ハウジング）にスコア（溝）を設けることで、ハウジングが開裂する際に生じる破断片がより大きくかつ数が少なくなるよう、き裂が生じる方向を誘導している。
【先行技術文献】
【特許文献】
【０００５】
【特許文献１】特開２００６−１３７２４５号公報
【発明の概要】
【０００６】
近年では、車両の小型化や軽量化に伴って、プリテンショナやそこに含まれるガス発生装置に対しても小型で簡潔な構成が望まれている。これらをその性能を低下させることなく小型化するためには、ガス発生装置から噴出するガスの流れをさらに整える必要がある。しかし上述したように、ガスはハウジングの開裂した部位から噴出するため、ガスの整流化は簡単ではない。
【発明が解決しようとする課題】
【０００７】
本発明はこのような課題に鑑み、小型化および性能の向上を図ることが可能なガス発生装置およびシートベルトプリテンショナを提供することを目的としている。
【課題を解決するための手段】
【０００８】
上記課題を解決するために、本発明にかかるガス発生装置の代表的な構成は、一端が端面によって閉じている円筒形状であり内部にガス発生剤が充填されたハウジングと、ハウジングにその他端に取り付けられ外部から受けた信号に起因してガス発生剤に点火するスクイブとを備え、ハウジングは、端面に設けられてガス発生時において端面にき裂を誘発させる溝部を有し、ガス発生時に、溝部の開裂の起点が端面の中心からはずれた位置になるよう設けられていることを特徴とする。【０００９】
上記の溝部はその開裂の起点が端面の中心からはずれた隅に位置するよう設けられているため、ハウジングは端面の隅から開裂しそこからガスを噴出する。ここで、「開裂の起点」とは、より具体的には、例えば複数の溝が交差する点など、ガス発生時にハウジングが破れ始める点を意味している。従来のガス発生装置におけるハウジングでは、溝部は端面の中心に対してその周囲に均等なき裂を誘発させるよう設けられていた。しかし上記構成では、溝部は端面上の片寄った位置にき裂を誘発させる。この構成によると、ガスの噴出位置をあえて片寄らせて設定しているため、ガス発生装置はシートベルトプリテンショナに対する設置位置を変えなくてもその向きを変えることでガスの供給方向を調節することができる。これによってシートベルトプリテンショナの性能向上を図ることができ、ひいてはその小型化に資することも可能になる。【００１０】
上記課題を解決するために、本発明にかかるガス発生装置の他の代表的な構成は、一端が端面によって閉じている円筒形状であり内部にガス発生剤が充填されたハウジングと、ハウジングにその他端に取り付けられ外部から受けた信号に起因してガス発生剤に点火するスクイブとを備え、ハウジングは、端面に設けられてガス発生時において端面にき裂を誘発させる溝部を有し、溝部は、中心である１点から放射状に形成された複数の溝を有し、溝部の中心が端面の中心からはずれた位置になるよう設けられていることを特徴とする。【００１１】
上記の溝部の中心とは、開裂の起点のことを示している。すなわち、上記構成においても、ガスの噴出位置が端面上の片寄った位置に設けられている。特に、溝部は、中心の一点から放射状に形成された複数の溝を有する形状になっている。この形状の溝部であれば、中心の一点（複数の溝の交点）が起点となって開裂し、ガスは溝部の中心点を中心にして噴出する。したがって、この形状の溝部であれば、任意の位置に設けることによってガスの噴出位置や噴出方向も任意かつ容易に設定することが可能になる。また、複数のガス発生装置におけるそれぞれの開裂の仕方のばらつきを抑え、ガス発生装置の品質を安定させることができる。【００１２】
上記課題を解決するために、本発明にかかるガス発生装置の他の代表的な構成は、一端が端面によって閉じている円筒形状であり内部にガス発生剤が充填されたハウジングと、ハウジングにその他端に取り付けられ外部から受けた信号に起因してガス発生剤に点火するスクイブとを備え、ハウジングは、端面に設けられてガス発生時において端面にき裂を誘発させる溝部を有し、溝部は複数の溝を有し、複数の溝の交点が端面の中心からはずれた位置になるよう設けられていることを特徴とする。【００１３】
上記の溝部の交点も、開裂の起点となる点であり、ガスの噴出の中心となる点である。この溝部の交点を端面上の片寄った任意の位置に設けることで、ガスの噴出位置や噴出方向も任意かつ容易に設定することが可能になる。また、複数のガス発生装置におけるそれぞれの開裂の仕方のばらつきを抑え、ガス発生装置の品質を安定させることができる。【００１４】
上記のハウジングは、幅方向の断面および端面が、円弧と弦とで囲まれる形状となっていて、端面の中心は、円弧が描く円の中心であってもよい。このような構成によって溝部を端面上の片寄った位置に設けることでも、ガス発生装置はシートベルトプリテンショナに対する設置位置を変えなくてもその向きを変えることでガスの供給方向を調節することが可能になる。これによってシートベルトプリテンショナの性能向上を図ることができ、ひいてはその小型化に資することも可能になる。【００１５】
上記の溝部の中心は、端面の重心（図心）に設けられてもよい。重心（図心）であればガスの圧力が集まりやすいため、端面上の片寄った位置であったとしても効率よく開裂してガスを噴出させることが可能になる。【００１６】
上記課題を解決するために、本発明にかかるシートベルトプリテンショナの代表的な構成は、上記のガス発生装置を備えたことを特徴とする。上記ガス発生装置はガスの噴出位置をあえて片寄らせて設定しているため、ガス発生装置の設置位置を変えなくてもその向きを変えることによって、より効率のよい方向へガスを供給するよう調節することが可能になる。したがって、当該シートベルトプリテンショナの性能向上を図ることができ、ひいてはその小型化に資することも可能になる。【００１７】
上記のシートベルトプリテンショナは、ガス発生装置の長手方向と交差する方向へ伸びる管状のガス案内部材であって一端側にてガス発生装置に接続され端面から噴き出すガスを一端側から他端側へと導くガス案内部材と、他端側に設けられてガス圧によって移動する可動部材と、可動部材に連動してウェビングを巻きとるスピンドルとをさらに備え、溝部は、ガス案内部材の一端側へ片寄るよう端面の中心からはずれた位置に設けられているとよい。【００１８】
上記構成によれば、ガス発生装置の溝部はガス案内部材の一端側へ片寄るように設けられているため、ガス案内部材の他端側に設けられている可動部材に対して、ガスの経路をより長く確保することができる。このようにして、さらなる小型化が許容できるよう当該シートベルトプリテンショナの性能を向上または維持することができる。
【発明の効果】
【００１９】
本発明によれば、小型化および性能の向上を図ることが可能なガス発生装置およびシートベルトプリテンショナを提供可能である。
【図面の簡単な説明】
【００２０】
【図１】本発明の実施形態にかかるシートベルトプリテンショナを備えたシートベルトを例示した図である。
【図２】図１のリトラクタの概略的な分解図である。
【図３】図２のシートベルトプリテンショナの概略的な内部構成を例示した図である。
【図４】図３のガス発生装置を単独で例示した図である。
【図５】図４のガス発生装置の第１の変形例を例示した図である。
【図６】図４のガス発生装置の第２の変形例を例示した図である。
【図７】図４のガス発生装置の第３の変形例を例示した図である。
【図８】図７（ａ）のガス発生装置を備えたシートベルトプリテンショナの概略的な内部構成を例示した図である。
【符号の説明】
【００２１】
Ｒ１・Ｒ２・Ｒ３・Ｒ４   …矢印、Ｐ１   …中心点、Ｃ１   …中心、Ｅ１   …円弧が描く円、１００  …シートベルト、１０２  …座席、１０４  …ウェビング、１０６  …リトラクタ、１０８  …スルーアンカ、１１０  …タングプレート、１１２  …バックル、１１４  …フレーム、１１６  …スピンドル、１１８  …プリテンショナ、１２０・２００・３００・４００  …ガス発生装置、１２２  …ガス案内部材、１２２ａ  …ガス案内部材の一端側、１２２ｂ  …ガス案内部材の他端側、１２４・２０４・３０４・４０４  …端面、１２６  …ピストン、１２８  …歯すじ、１３０  …ピニオンギヤ、１３４  …ガス発生剤、１３６・２０２・３０２・４０２  …ハウジング、１３６ａ  …ハウジングの一端側、１３６ｂ  …ハウジングの他端側、１４０  …スクイブ、１４１  …ホルダ、１４２ａ・１４２ｂ  …ピン、１４４  …溝部、４０６   …円弧、４０８   …弦
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
（シートベルト）
図１は、本発明の実施形態にかかるシートベルトプリテンショナを備えたシートベルト１００を例示した図である。シートベルト１００は、座席１０２に備えられた安全装置であって、帯状のウェビング１０４を使用して乗員を座席１０２に拘束する。ウェビング１０４は、根元側がリトラクタ１０６に巻き取られていて、先端側は上方のスルーアンカ１０８を通って下方へ折り返されてアンカプレート（図示省略）に固定されている。スルーアンカ１０８から折り返された先のウェビング１０４にはタングプレート１１０が備えられていて、乗員はこのタングプレート１１０をバックル１１２に挿し込むことでシートベルト１００を装着することができる。
【００２４】
（リトラクタ）
図２は、図１のリトラクタ１０６の概略的な分解図である。図２に例示するように、リトラクタ１０６は、フレーム１１４と、ウェビング１０４（図１参照）を巻き取る際の軸となるスピンドル１１６と、緊急時に作動するシートベルトプリテンショナ（プリテンショナ１１８）とを備えている。
【００２５】
スピンドル１１６は円筒形状であって、フレーム１１４に回転可能に取り付けられる。スピンドル１１６は、バネ類やモータ類（共に図示省略）の力を利用してウェビング１０４（図１参照）を巻き取る。
【００２６】
プリテンショナ１１８は、不図示のセンサが車両衝突等による衝撃を検知した際に作動するウェビング１０４（図１参照）の巻取り装置である。プリテンショナ１１８は内部にガス発生剤１３４（図４参照）を有していて、ガス圧を利用することで、スピンドル１１６をウェビング１０４の巻き取り方向に瞬時に回転させてウェビング１０４を引き締める。これにより、ウェビング１０４の乗員の拘束力を高め、乗員のより十全な保護が可能になる。
【００２７】
（シートベルトプリテンショナ）
図３は、図２のシートベルトプリテンショナ１１８の概略的な内部構成を例示した図である。図３に例示するように、プリテンショナ１１８にはガスの発生源として、ガス発生装置１２０が備えられている。ガス発生装置１２０は、管状のガス案内部材１２２の一端側１２２ａに取り付けられている。ガス案内部材１２２はＬ字形状であって、ガス発生装置１２０の長手方向と交差する方向へ伸びている。ガス案内部材１２２は、ガス発生装置１２０の端面１２４から噴出したガス（矢印Ｒ１）を、一端側１２２ａから他端側１２２ｂへと導く。
【００２８】
ガス案内部材１２２の他端側１２２ｂには、第１の可動部材としてピストン１２６が設けられている。ガス発生装置１２０からガスが噴出されると、ピストン１２６はガス圧によって他端側１２２ｂ（矢印Ｒ２方向）へと移動する。ピストン１２６は直線に並んだ歯すじ１２８を有していて、ラック（直線歯車）として機能する。ピストン１２６の歯すじ１２８は、第２の可動部材であるピニオンギヤ１３０とかみ合っている。ピニオンギヤ１３０は、ピストン１２６が矢印Ｒ２方向へと移動することで図中右方向（矢印Ｒ３）に回転する。
【００２９】
ピニオンギヤ１３０の中心側はスピンドル１１６と連結している。ピニオンギヤ１３０の回転方向（矢印Ｒ３）は、スピンドル１１６におけるウェビング１０４（図１参照）の巻き取り方向への回転と一致している。したがって、ピニオンギヤ１３０が回転すると、スピンドル１１６はウェビング１０４を巻き取る。以上説明したように、プリテンショナ１１８が作動すると、可動部材であるピストン１２６およびピニオンギヤ１３０に連動してスピンドル１１６がウェビング１０４を巻き取るため、ウェビング１０４は引締められて乗員をさらに拘束する。このようにして、プリテンショナ１１８はシートベルト１００の乗員保護性能を高めている。
【００３０】
（ガス発生装置）
図４は、図３のガス発生装置１２０を単独で例示した図である。図４（ａ）は図３と同様に、ガス発生装置１２０を断面図として表わしている。図４（ａ）に例示するように、ガス発生装置１２０の内部には顆粒上のガス発生剤１３４が充填されている。ガス発生剤１３４は、燃焼によってガスを発生させる。なお、ガス発生剤１３４の形状等の具体的な構成はここに記載した事項に限られず、様々な種類のガス発生剤１３４を用いることができる。
【００３１】
ガス発生剤１３４はハウジング１３６に充填されている。ハウジング１３６は円筒形状であって、一端側１３６ａが端面１２４によって閉じている。ハウジング１３６は、ガス発生剤１３４の燃焼時においてガス圧によって開裂する構成となっている。ハウジング１３６の材質には主に金属が用いられるが、これに限ることなく様々な材質が用いられる。ハウジング１３６の他端側１３６ｂは、基体となるホルダ１４１に接続している。
【００３２】
ハウジング１３６の内部には、他端側１３６ｂからスクイブ１４０が取り付けられている。スクイブ１４０はいわゆる着火装置であって、内部に着火薬（図示省略）を有している。スクイブ１４０には導電性のピン１４２ａ・１４２ｂが設けられていて、外部から受けた信号に起因して電気が流れて着火薬が発火する仕組みとなっている。そしてこの着火薬の燃焼によって、ガス発生剤１３４に点火がなされる。
【００３３】
図４（ｂ）は、図４（ａ）のガス発生装置１２０の矢視Ａ図であって、主に端面１２４を例示した図である。図４（ｂ）に例示するように、ハウジング１３６には溝部１４４が設けられている。溝部１４４は、ハウジング１３６がガス圧によって開裂する際に、端面１２４にき裂を誘発させる働きを有している。
【００３４】
溝部１４４は、一点（中心点Ｐ１）から複数の溝が放射状に形成された形状を有している。この形状であると、溝部１４４の中心である中心点Ｐ１は複数の溝の交点でもあって、この中心点Ｐ１が開裂の起点となってそこから周囲に向かってき裂が生じて開裂する。そして、ガスは溝部１４４の中心点Ｐ１を中心にして噴出する。したがって、この形状の溝部１４４であれば、任意の位置に設けることによってガスの噴出位置や噴出方向も任意かつ容易に設定することが可能である。また、複数のガス発生装置におけるそれぞれの開裂の仕方のばらつきを抑え、ガス発生装置の品質を安定させることができる。
【００３５】
本実施形態では、溝部１４４をあえて端面１２４の中心Ｃ１からはずれた位置に設けていて、ハウジング１３６は端面１２４の隅から開裂しそこからガスを噴出する構成となっている。具体的には、溝部１４４は、その中心である中心点Ｐ１が、端面１２４の中心Ｃ１からはずれた位置となるよう設けられている。本実施形態では、溝部１４４が放射状であるため形状の中心が分かりやすいが、溝部１４４が他の形状の場合、例えば溝部が直線形状であったり不規則な形状であったりした場合は、「溝部の中心」すなわち開裂の起点には重心（図心）や長さ方向の中心などが該当する。
【００３６】
従来のガス発生装置１２０におけるハウジング１３６では、溝部１４４は端面１２４の中心Ｃ１に対してその周囲に均等なき裂を誘発させるよう設けられていた。しかし本実施形態では、溝部１４４は端面１２４の片寄った位置にき裂を誘発させる。
【００３７】
ここで再び図３を参照する。本実施形態では、ガス発生装置１２０の溝部１４４を、ガス案内部材１２２の一端側１２２ａすなわちピストン１２６とは反対側に片寄るように設けている。これによって、仮に端面１２４の中心Ｃ１からガスを噴出させた場合と比べて、ピストン１２６に対してのガスの経路がより長くなっている（Ｌ２＞Ｌ１（Ｌ１は端面１２４の中心Ｃ１とピストン１２６との距離。Ｌ２は溝部１４４の中心点Ｐ１とピストン１２６との距離））。このようにして、当該プリテンショナ１１８では、小型化された構成であっても十分なガスの経路を確保している。なお、ガス発生装置１２０の溝部１４４を設ける位置は、ガスを効率よく供給できる位置であればよい。また、ガス発生装置１２０は、プリテンショナ１１８の構成に応じて溝部１４４の配置位置を変えるよう向き（姿勢）を変えて設置することもできる。
【００３８】
これら説明したように、本実施形態では、ガス発生装置１２０のガスの噴出位置をあえて片寄らせて設定している。そのためガス発生装置１２０は、プリテンショナ１１８に対する設置位置を変えなくても、その向きを変えることでガスの供給方向を調節することが可能できる。このようにしてガス発生装置１２０はプリテンショナ１１８の性能向上を図ることができる。そしてプリテンショナ１１８は、性能が向上したことでさらなる小型化を許容することも可能になっている。
【００３９】
（変形例１）
図５は、図４のガス発生装置１２０の第１の変形例（ガス発生装置２００）を例示した図である。図５は、図４（ａ）と同様にガス発生装置２００の断面図である。図５ガス発生装置２００は、ハウジング２０２の形状において図４のガス発生装置１２０と異なっている。
【００４０】
図５に例示するように、ハウジング２０２の端面２０４は、断面視において中央に向かって傾斜しながら突出した形状、すなわち立体視すると三角錐状に突出した形状となっている。本例の開裂の起点（溝部の中心）は、この三角錐形状の斜面上において、端面２０４の中心からはずれた位置に形成されている。端面２０４がこのような形状であれば、溝部１４４が開裂した場合においてガスを斜め方向に噴出させることができる。このような構成のガス発生装置２００は、ガスを図４のガス発生装置１２０とは異なる方向へ供給させたい場合に好適に利用することができる。
【００４１】
（変形例２）
図６は、図４のガス発生装置１２０の第２の変形例（ガス発生装置３００）を例示した図である。図６もまた、図４（ａ）と同様にガス発生装置３００の断面図であって、ハウジング３０２の形状において図４のガス発生装置１２０と異なっている。
【００４２】
図６に例示するように、ハウジング３０２の端面３０４は湾曲して突出した形状となっている。本例の開裂の起点（溝部の中心）もまた、この湾曲した斜面上において、端面３０４の中心からはずれた位置に形成されている。このような形状の端面３０４であっても、溝部１４４が開裂した場合においてガスを斜め方向に噴出させることができる。このような構成のガス発生装置３００は、ガスを図４のガス発生装置とは異なる方向へ供給させたい場合に好適に利用することができる。
【００４３】
（変形例３）
図７は、図４のガス発生装置１２０の第３の変形例（ガス発生装置４００）を例示した図である。図７（ａ）もまた、図４（ａ）と同様にガス発生装置４００の断面図であって、ハウジング４０２の形状において図４（ａ）のガス発生装置１２０と異なっている。
【００４４】
ハウジング４０２は、円筒形でありつつも、側部の形状の一部が変化している。図７（ｂ）は、図７（ａ）のガス発生装置４００の端面４０４を上方から例示した図である。図７（ｂ）に例示するように、ハウジング４０２は、その端面４０４が、円弧４０６と弦４０８とで囲まれた、Ｄ字に近い形状をしている。図７（ｃ）は図７（ａ）のＢ−Ｂ断面図であって、ハウジング４０２の長手方向に直交する幅方向の断面図である。図７（ｃ）に例示するように、ハウジング４０２は、端面４０４のみならず、所定の個所（詳細には、図７（ａ）のスクイブ１４０よりも先端側）にて幅方向の断面がＤ字形状になるよう形成されている。
【００４５】
図７（ｂ）に例示するように、端面４０４上において溝部１４４は複数の溝からなり、その中心である中心点Ｐ１すなわち溝部の交点（開裂の起点）が、円弧４０６が描く円Ｅ１の中心Ｃ１からはずれて設けられている。好ましくは、本例のように、溝部１４４はその中心点Ｐ１が端面４０４の重心Ｇ１（図心）に重なるように設けてもよい。このような構成であれば溝の交点から開裂しやすくなり、溝部１４４は端面４０４上の片寄った位置に設けられているものの、効率よく開裂してガスを噴出させることが可能になっている。
【００４６】
図８は、図７（ａ）のガス発生装置４００を備えたシートベルトプリテンショナ１１８の概略的な内部構成を例示した図である。図８に例示するように、ガス発生装置４００もまた図３のガス発生装置１２０と同様に、溝部１４４がピストン１２６とは反対側に片寄るように設けられる。これによって、仮に端面４０４の円弧４０６（図７（ｂ）参照）が描く円Ｅ１の中心Ｃ１からガスを噴出させた場合と比べて、ピストン１２６に対してのガス（矢印Ｒ４）の経路がより長くなっている（Ｌ３＞Ｌ１（Ｌ１は中心Ｃ１とピストン１２６との距離。Ｌ３は溝部１４４の中心点Ｐ１とピストン１２６との距離））。このようにして、当該プリテンショナ１１８では、小型化された構成であっても十分なガスの経路を確保している。そして、ガス発生装置４００は、プリテンショナ１１８に対する設置位置を変えなくても、回転させて溝部１４４が移動するように向きを変えることでガスの供給方向が調節できる。これによってシートベルトプリテンショナ１１８の性能向上を図ることができ、ひいてはその小型化に資することも可能になる。
【００４７】
なお、上記各実施例におけるシートベルトプリテンショナ１１８は、ラックアンドピニオン方式の構造のものとして例示したが、これに限らず、ボール等の回転体を用いた構造のものであっても本発明の技術的思想が応用できることは、いうまでもない。
【００４８】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００４９】
したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、ガス発生装置と、このガス発生装置を利用してウェビングを引き締めるシートベルトプリテンショナに利用することができる。
【図１】
2013027691.tif 000003
【図２】
2013027691.tif 000004
【図３】
2013027691.tif 000005
【図４】
2013027691.tif 000006
【図５】
2013027691.tif 000007
【図６】
2013027691.tif 000008
【図７】
2013027691.tif 000009
【図８】
2013027691.tif 000010
【国際調査報告】
2013027691.tif 000011
2013027691.tif 000012